(57)【要約】【課題】既設の装置に対してガイダンス機能を容易に追加することのできる操作ガイダンス表示装置を提供する。【解決手段】信号を受信すると所定の動作を行う動作部２と、動作部２に対してその動作中に所定の操作を行う操作部３とを備え、操作部３にはその操作可能時に発光する表示部４を設けてなる操作ガイダンス表示装置であって、表示部４は動作部２の動作を検知する検知部２１と、検知部２１からの信号を受信すると発光する発光部２０とを備え、発光部２０はシート状の面状発光素子４０からなると共に、操作部３及びその近傍に面接固定されてなる。【選択図】  図２
2005018331.tif 000002
【特許請求の範囲】
【請求項１】
信号を受信すると所定の動作を行う動作部と、該動作部に対してその動作中に所定の操作を行う操作部とを備え、該操作部にはその操作可能時に発光する表示部を設けてなる操作ガイダンス表示装置であって、
上記表示部は上記動作部の動作を検知する検知部と、該検知部からの信号を受信すると発光する発光部とを備え、該発光部はシート状の面状発光素子からなると共に、上記操作部に面接固定されることを特徴とする操作ガイダンス表示装置。
【請求項２】
上記動作部は受信した信号を出力させる出力部を備え、上記検知部は上記出力部から出力された信号を受信して上記動作部の動作を検知することを特徴とする請求項１記載の操作ガイダンス表示装置。
【請求項３】
上記動作部は信号を受信すると音声を発生する音響発生部を備え、上記検知部は上記音響発生部から発生された音声を検知する音響検知部を備えると共に、該音響検知部により上記動作部の動作を検知することを特徴とする請求項１記載の操作ガイダンス表示装置。
【請求項４】
上記動作部は信号を受信すると発光する動作表示部を備え、上記検知部は上記動作表示部から発生された光を検知する光検知部を備えると共に、該光検知部により上記動作部の動作を検知することを特徴とする請求項１記載の操作ガイダンス表示装置。
【請求項５】
上記発光部はあらかじめ設けられた上記操作部の説明表示を略覆うと共に、上記操作部の名称表示及び機能説明表示を備えそれらを発光させることを特徴とする請求項１〜４のいずれか１項に記載の操作ガイダンス表示装置。
【請求項６】
上記発光部には表面に面状発光素子の発光色と略同色の表面シートを設け、該表面シートは上記操作部の名称表示を備えたことを特徴とする請求項５記載の操作ガイダンス表示装置。
【請求項７】
上記表示部は上記動作部及び操作部とは独立した電源部を備えてなることを特徴とする請求項１〜６のいずれか１項に記載の操作ガイダンス表示装置。
【請求項８】
上記操作部は複数のスイッチを備えると共に、上記発光部は各スイッチに対応して設けられ、上記検知部は上記動作部の動作に応じて操作すべきスイッチに対応した発光部を発光させることを特徴とする請求項１〜７のいずれか１項に記載の操作ガイダンス表示装置。
【発明の詳細な説明】
【０００１】
【発明の属する技術分野】
本発明は所定の動作に対する操作を光によりガイドする表示部を備えた操作ガイダンス表示装置に関し、特に既設の操作部に対して表示部を設置することのできる操作ガイダンス表示装置に関する。
【０００２】
【従来の技術】
従来から、信号を受信すると所定の動作を行い、それに対して何らかの操作を行うことができる装置が知られている。例えば、火災検知器からの検知信号を受信して、各種制御を行う火災受信機がある。火災受信機では、建物内に設けられた火災検知器から検知信号を受信すると、自身からブザー音やベル音などの音響を発すると共に、火災発生場所に対応した地区の火災報知器にも音響を発生させるように制御を行う。これらの音響を止めるために、火災受信機には停止スイッチが設けられている。停止スイッチは、火災受信機から発生する音響を停止するものと、火災を検知した地区全体に発生させる音響を停止するものとがある。しかし、火災受信機にはそれ以外にも多くのスイッチや点灯部等を備えたもので、火災受信機が動作した場合に、その場に居合わせた使用者が必ずしもその操作に精通しているとは限らないので、操作のためのガイダンスを通常設けている。
【０００３】
火災受信機におけるガイダンスとしては、比較的大規模なビル等に設けられるものでは、液晶画面などの表示部を備えており、その表示部にガイダンスを表示している。一方、比較的小規模な火災受信機では、そのような表示部は備えていないので、スイッチの近傍にガイダンスの内容を印刷しておくなどの方法がとられている。しかし、この場合には火災受信機が動作しているときに、状況に応じたガイダンスを行うことはできないので、火災警報時に適切な対応を取れるようにガイダンスすることはできなかった。
【０００４】
この問題点を解決するため、特許文献１や特許文献２に開示された発明では、火災受信機において操作すべきスイッチを順次点灯させることで、状況に応じたガイダンスを行うこととしている。火災警報時に、操作すべきスイッチを順次点灯させガイドすることにより、火災受信機の操作に精通していない使用者であっても、そのガイドに沿って容易に操作を行うことができるものである。
【０００５】
【特許文献１】
特開平５−２７４５６４号公報
【特許文献２】
特開平８−２３５４６２号公報
【０００６】
【発明が解決しようとする課題】
しかし、従来の操作ガイダンス装置では、既設の火災受信機にその機能を追加しようとすると、受信機の表示パネルや発光体のためのプリント基板などをすべて交換しなければならない。このような改造を既設の火災受信機に対して行うことは、火災報知設備の信頼性を低下させることに繋がると共に、改造の部位や程度によっては法令上認められないこともある。したがって、ガイダンス機能を追加することは困難であった。また、火災受信機だけでなく、所定の動作に対して何らかの操作を行う操作部を備えた装置、例えば火災報知器や防犯受信機などにおいても、既設の装置に対してガイダンス機能を容易に追加したいとの要望がある。
【０００７】
本発明は、上記課題を解決すべくなされたものであり、既設の装置に対してガイダンス機能を容易に追加することのできる操作ガイダンス表示装置を提供することを目的とする。
【０００８】
【課題を解決するための手段】
上記課題を解決するため、本発明に係る操作ガイダンス表示装置は、信号を受信すると所定の動作を行う動作部と、該動作部に対してその動作中に所定の操作を行う操作部とを備え、該操作部にはその操作可能時に発光する表示部を設けてなる操作ガイダンス表示装置であって、
上記表示部は上記動作部の動作を検知する検知部と、該検知部からの信号を受信すると発光する発光部とを備え、該発光部はシート状の面状発光素子からなると共に、上記操作部に面接固定されることを特徴として構成されている。
【０００９】
また、本発明に係る操作ガイダンス表示装置は、上記動作部は受信した信号を出力させる出力部を備え、上記検知部は上記出力部から出力された信号を受信して上記動作部の動作を検知することを特徴として構成されている。
【００１０】
さらに、本発明に係る操作ガイダンス表示装置は、上記動作部は信号を受信すると音声を発生する音響発生部を備え、上記検知部は上記音響発生部から発生された音声を検知する音響検知部を備えると共に、該音響検知部により上記動作部の動作を検知することを特徴として構成されている。
【００１１】
さらにまた、本発明に係る操作ガイダンス表示装置は、上記動作部は信号を受信すると発光する動作表示部を備え、上記検知部は上記動作表示部から発生された光を検知する光検知部を備えると共に、該光検知部により上記動作部の動作を検知することを特徴として構成されている。
【００１２】
そして、本発明に係る操作ガイダンス表示装置は、上記発光部はあらかじめ設けられた上記操作部の説明表示を略覆うと共に、上記操作部の名称表示及び機能説明表示を備えそれらを発光させることを特徴として構成されている。
【００１３】
また、本発明に係る操作ガイダンス表示装置は、上記発光部には表面に面状発光素子の発光色と略同色の表面シートを設け、該表面シートは上記操作部の名称表示を備えたことを特徴として構成されている。
【００１４】
さらに、本発明に係る操作ガイダンス表示装置は、上記表示部は上記動作部及び操作部とは独立した電源部を備えてなることを特徴として構成されている。
【００１５】
さらにまた、本発明に係る操作ガイダンス表示装置は、上記操作部は複数のスイッチを備えると共に、上記発光部は各スイッチに対応して設けられ、上記検知部は上記動作部の動作に応じて操作すべきスイッチに対応した発光部を発光させることを特徴として構成されている。
【００１６】
【発明の実施の形態】
本発明の実施形態について、図面に沿って詳細に説明する。本発明は様々な機器に適用することができるものであるが、本実施形態では、本発明を火災受信機に適用したものを示す。この火災受信機は、図示しない火災検知器からの入力信号を受信すると、音響を発生すると共に、ＬＥＤを点灯させて火災を知らせ、さらに検知信号を火災が発生した地区の火災報知器に出力して、それらの火災報知器を作動させるものである。図１は、本実施形態における火災受信機のシステム図である。この図に示すように、本実施形態の火災受信機は、入力信号を受けて音響を発生したり動作を表示したりする動作部２と、その動作部２に対して所定の操作を行う操作部３とからなっており、さらに操作部３に対して、発光して操作をガイドする表示部４を取付けている。
【００１７】
動作部２は、入力信号を受信すると共に各種制御を行う制御部１０を備えている。また、音響を発生させる音響発生部１１と、光を発生させる動作表示部１２と、他の火災報知器等に検知信号を出力する出力部１３とを備えている。制御部１０は、入力信号を受信すると、音響発生部１１を鳴動させると共に、動作表示部１２を発光させて、火災の発生を知らせる。また、出力部１３から他の火災報知器等に検知信号を出力する。
【００１８】
一方、操作部３は、制御部１０に接続されており、動作部２が入力信号を受信して動作すると、それに対応して制御部１０に対する操作を行うことができる。操作部３はそれぞれの操作につき、対応する複数のスイッチを設けられてなるものである。火災発生時に操作できるスイッチは、火災受信機１自身から発せられる音響を停止させる音響停止スイッチ３０と、火災が発生した地区の火災報知器からの音響を一時的に停止させる地区音響一時停止スイッチ３１と、使用者が実際に火災の発生していることを確認した場合に押す火災断定スイッチ３２である。
【００１９】
そして、表示部４は、操作部３に取付けられて操作をガイドする発光部２０と、動作部２の動作を検知して発光部２０を発光させる検知部２１と、発光部２０及び検知部２１に対して電源供給する電源部２２とからなっている。この表示部４は、操作部３に対して後付けできるように、動作部２及び操作部３からは電気的に独立して設けられる。すなわち、動作部２及び操作部３には、図示しない電源があらかじめ設けられているのに対し、表示部４はそこから電源を供給されるのではなく、独立した電源を有しているものである。電源部２２が独立していることにより、表示部４は動作部２及び操作部３から電気的に独立しているので、表示部４を既設の火災受信機１に取付ける場合にも、大幅な改造を行う必要がなく、簡易に設けることができる。
【００２０】
検知部２１は、出力部１３から外部の火災報知器までの間を分岐させて、検知信号を受信し、動作部２に動作があった場合にはそれを検知する。動作部２において出力部１３より先で信号を分岐させることにより、表示部４を後付けする場合に容易に信号を検知部２１に引き込むことができる。また、検知部２１による動作部２の動作の検出には、できるだけ動作部２及び操作部３から独立して表示部４を設けることができるように、その他の方法を用いてもよい。
【００２１】
例えば、動作部２の音響発生部１１により発生した音響を検知する音響検知部を検知部２１に設けることで、信号を引き込むことなく、動作部２の動作を検知することができる。また、動作部２の動作表示部１２により発生した光を検知する光検知部を検知部２１に設けることによっても、出力部１３からの出力信号を検知部２１へ有線で引き込むことなく、動作部２の動作を検知することができる。これらの方法によれば、既設の火災受信機１において、動作部２や操作部３から独立して後付けで表示部４を設けることができ、取付けが容易である。
【００２２】
図２には、本実施形態における火災受信機１の正面図を示す。この火災受信機１は、建物内部の壁面などに設けられるもので、内部に動作部２の制御部１０等を納めると共に、表面には各種動作を行う操作部３と、動作部２の音響発生部１１に相当するスピーカ３３と、動作部２の動作表示部１２に相当するＬＥＤ３４とを備えている。
【００２３】
本実施形態の表示部４を取付けていない状態の火災受信機１の正面図を図３に示す。火災受信機１の表面には、図３に示すように各種のスイッチが配置されており、また火災検知時には火災発生位置や状況を示す多数のＬＥＤ３４が点灯する。このＬＥＤ３４は通常赤色のものが用いられ、火災受信機１の表面で何カ所も同時に発光するので、実際には火災でない場合にどのスイッチを操作すれば音響を停止させることができるのか、とっさには判断しにくい。
【００２４】
そこで、火災受信機１が火災を検出したものの、実際には火災は発生していない場合に、使用者が操作すべきスイッチである音響停止スイッチ３０及び地区音響一時停止スイッチ３１を目立たせて、操作を促すようにガイダンスする発光部２０に相当する面状発光素子４０を、図２のようにそれらのスイッチ及びその近傍に配置されるように設けている。すなわち、図３に示すような、あらかじめ操作部３に設けられた音響停止スイッチ３０及び地区音響一時停止スイッチ３１の説明表示を略覆うように、表示部４の発光部２０に相当する面状発光素子４０を設ける。面状発光素子４０は、音響停止スイッチ３０及び地区音響一時停止スイッチ３１の名称表示及び機能説明表示を備え、それが動作部２の動作時にはＬＥＤ３４とは異なる色に発光して、操作をガイダンスする。
【００２５】
面状発光素子４０は無機ＥＬシートからなり、平面状に形成されてなるもので、火災受信機１の操作部３における所定の位置、すなわちこの場合には操作部３における音響停止スイッチ３０及び地区音響一時停止スイッチ３１の説明表示を略覆うように、面接固定される。無機ＥＬシートは、音響停止スイッチ３０に対応してその名称表示である「音響停止」とその機能の説明表示である「ブザーを止める」の文字及びそれらを繋ぐ矢印を、地区音響一時停止スイッチ３１に対応してその名称表示である「地区音響一時停止」とその機能の説明表示である「ベルを止める」の文字及びそれらを繋ぐ矢印を、それぞれ青色に発光するように形成されている。なお、本実施形態では面状発光素子４０として無機ＥＬシートを用いているが、有機ＥＬシートを用いてもよい。また、発光色に関しては青色には限られず、他の色にしてもよい。動作部２の動作時には、無機ＥＬシートは発光し、これらの文字が浮かび上がって目立たせることができる。また、火災受信機１の表面にはあらかじめ貫通孔３５を設けておき、その貫通孔３５から火災受信機１の内部に納められた検知部２１及び電源部２２に繋がる配線を通す。
【００２６】
図４には面状発光素子４０の正面図を、図５にはその側面図をそれぞれ示す。図４に示すように、面状発光素子４０は、音響停止スイッチ３０に対応した第１の発光面４１と、地区音響一時停止スイッチ３１に対応した第２の発光面４２とを有し、それらの発光面をそれぞれ独立して発光させることができる。また、面状発光素子４０は、検知部２１及び電源部２２に繋がる配線部４３に接続されている。
【００２７】
図５に示すように、面状発光素子４０は、粘着材４４を介して表面側には表面シート４５を、裏面側には粘着シート４６をそれぞれ重合している。表面シート４５は、面状発光素子４０を保護するためのもので、透明な樹脂板などにより形成される。一方、粘着シート４６は、その表面に粘着性を有した接着剤等を有しており、火災受信機１の操作部３に面状発光素子４０を面接固定する。
【００２８】
ここで、表面シート４５の色を面状発光素子４０の発光色と略同色とすると、音響停止スイッチ３０の機能を説明する表示として面状発光素子４０で発光する「ブザーを止める」の文字や、地区音響一時停止スイッチ３１の機能を説明する表示として面状発光素子４０で発光する「ベルを止める」の文字について、通常時には見えないようにしておくことができる。面状発光素子４０が発光する際には、その光は表面シート４５を通過して文字が浮かび上がって見えるようにすることができる。
【００２９】
本実施形態では、面状発光素子４０は青色に発光するので、表面シート４５も青色にしておくと、このように操作をガイドするときだけ、その文字が見えるようにすることができる。このようにすると、スイッチを操作する必要のないときには、スイッチの操作をガイドする文字が見えないので、誤って操作することがないようにすることができる。ただし、音響停止スイッチ３０及び地区音響一時停止スイッチ３１自体の説明となる「音響停止スイッチ」及び「地区音響一時停止スイッチ」の文字は、通常時でも見えていることが望ましく、その部分については発光色以外の色にしておくことが必要である。
【００３０】
面状発光素子４０からの配線部４３は、火災受信機１の内部で検知部２１に接続される。本実施形態において動作部２の動作の検知は、動作部２の出力部１３からの外部移報を利用して行う。すなわち、配線部４３は火災受信機１の内部に設けられる移報接点に接続され、動作部２から外部移報がなされた場合に面状発光素子４０を発光させるようにしている。
【００３１】
上述したように検知部２１は、音声や光によって動作部２の動作を検出するようにしてもよい。音声によって動作部２の動作を検知するには、スピーカ３３が発する音声を検知することのできる音響検知部を設け、それに配線部４３を接続する。このようにすれば、動作部２が入力信号を受信し、スピーカ３３を鳴動させると、音響検知部が音声を検知して、面状発光素子４０を発光させる。一方、光によって動作部２の動作を検知するには、ＬＥＤ３４の発光を検知することのできる光検知部を設け、それに配線部４３を接続する。このようにすれば、動作部２が入力信号を受信し、ＬＥＤ３４を発光させると、光検知部が光を検知して、面状発光素子４０を発光させる。以上の方法によれば、火災受信機１の出力部１３からの出力信号を引き込むことなく、火災受信機１から独立して後付けで表示部を機能させることができる。
【００３２】
検知部２１は、さらに電源部２２に接続されている。電源部は、面状発光素子４０及び検知部２１に電源を供給するもので、火災受信機１の電源とは独立して設けられる。電源部２２としては、それほど大きな容量は必要ないので、通常用いられる乾電池で構成することができる。ただし、無機ＥＬシートから構成される面状発光素子４０は交流電源を必要とするので、電源部２２と面状発光素子４０の間にはインバータを設ける必要がある。
【００３３】
これまで、本発明の実施形態について説明したが、本発明の適用はこれに限られず、その技術的思想の範囲内において様々に適用されうる。例えば、上記実施形態では、火災受信機１に火災の検知信号が入力された場合に操作すべき音響停止スイッチ３０や地区音響一時停止スイッチ３１について、その操作を促すガイダンスを行っている。しかし、ガイダンスの内容はこれに限られず、火災受信機１に障害が発生した場合における操作のガイダンスを行わせるようにしてもよい。このガイダンスは、障害発生時に操作すべきスイッチ及びその近傍に面状発光素子４０を設け、検知部２１は障害発生を検知するようにすることで実現できる。
【００３４】
また、上記実施形態では、本発明を火災受信機に適用したものを示したが、防犯受信機や火災発信器などにも、本発明は適用できる。防犯受信機の場合には、火災報知器の代わりに防犯のための各種端末を設け、その端末からの入力信号を検知部によって検知し、操作すべきスイッチとその近傍に設けた面状発光素子を発光させることで、操作のガイダンスを行うことができる。また、火災報知器の場合には、火災検知器からの火災発生を知らせる信号を検知部で検知し、火災報知スイッチの近傍に設けた面状発光素子を発光させることで、近くの人に火災報知を促すことができる。
【００３５】
さらに上記実施形態では、操作すべきスイッチは音響停止スイッチ３０及び地区音響一時停止スイッチ３１であって、それらを同時に発光させて操作を促すようにガイダンスしているが、操作が複数の段階に分かれている場合には、検知部によってその段階をそれぞれ検知し、それに応じたスイッチに対応する面状発光素子を発光させるようにすることができる。このようにすれば、複雑な操作であっても、面状発光素子を順次発光させることができ、使用者はそれに沿って容易に操作を行うことができる。
【００３６】
【発明の効果】
以上のように、本発明に係る操作ガイダンス表示装置によれば、動作部の動作を検知する検知部と、その検知部からの信号を受信すると発光する発光部を備え、発光部は面状発光素子からなり、操作部及びその近傍に面接固定されることにより、液晶等の表示部を備えない既設の機器に対して、識別性の高い操作ガイダンス機能を追加することができる。また、発光部が面状発光素子からなるので、加工を自由に行うことができ、様々な機器に操作ガイダンス機能を追加することができる。
【００３７】
また、本発明に係る操作ガイダンス表示装置によれば、動作部からの出力信号、または動作部により発生される音声や光により検知を行うことにより、既設の機器に対して大きな改造を行うことなく、容易に操作ガイダンス機能を追加することができる。
【００３８】
さらに、本発明に係る操作ガイダンス表示装置によれば、発光部はあらかじめ設けられた操作部の説明表示を略覆うと共に、操作部の名称表示及び機能説明表示を備えそれらを発光させることにより、既設の機器に設けられた説明表示に替えて、発光部に設けられた発光する説明表示を用いることができる
【００３９】
さらにまた、本発明に係る操作ガイダンス表示装置によれば、発光部には表面に面状発光素子の発光色と略同色の表面シートを設け、操作部の名称表示を備えたことにより、通常時には操作部の名称は見ることができる一方で、ガイダンスの文字は見えないようにすることができるので、誤操作を防ぐことができる。
【００４０】
さらに、本発明に係る操作ガイダンス表示装置によれば、表示部は独立した電源部を備えてなることにより、表示部を機器とは電気的に独立させることができ、機器に対する操作ガイダンス機能の追加を容易に行うことができる。
【００４１】
そして、本発明に係る操作ガイダンス表示装置によれば、操作部は複数のスイッチを備え、発光部は各スイッチに対応して設けられ、検知部は動作部の動作に応じて操作すべきスイッチに対応した発光部を発光させることにより、操作を複数行わなければならない場合においても、順次操作すべきスイッチを発光させることができ、使用者は容易に操作を行うことができる。
【図面の簡単な説明】
【図１】本実施形態における火災受信機のシステム図である。
【図２】本実施形態における火災受信機の正面図である。
【図３】表示部を取付けていない状態の火災受信機の正面図である。
【図４】本実施形態における面状発光素子の正面図である。
【図５】本実施形態における面状発光素子の側面図である。
【符号の説明】
１    火災受信機
２    動作部
３    操作部
４    表示部
１０    制御部
２０    発光部
２１    検知部
２２    電源部
４０    面状発光素子
【図１】
2005018331.tif 000003
【図２】
2005018331.tif 000004
【図３】
2005018331.tif 000005
【図４】
2005018331.tif 000006
【図５】
2005018331.tif 000007